(57)【特許請求の範囲】
【請求項１】
商品出し入れ用の開口部を有するショーケース本体と、開口部の幅方向に移動させることにより開口部を開閉する少なくとも３つの引き戸と、引き戸を上下二段に支持する上側支持枠及び下側支持枠と、引き戸に当接することにより開口部の幅方向所定位置で引き戸の移動を規制するストッパとを備えたショーケースにおいて、
前記ストッパによる引き戸の移動規制を解除可能に構成するとともに、
ストッパには、上側支持枠と下側支持枠との間に配置されるストッパ本体と、上段側の引き戸に当接する第１の当接部と、下段側の引き戸に当接する第２の当接部とを設け、
第１の当接部をストッパ本体の上面に突設して上側支持枠に設けた長孔から上方に突出させ、
第２の当接部をストッパ本体の幅方向両端側に設けた
ことを特徴とするショーケース。
【請求項２】
前記ストッパを引き戸の移動規制位置と引き戸の移動規制解除位置へそれぞれ移動可能に設けた
ことを特徴とする請求項１記載のショーケース。
【請求項３】
前記ストッパを引き戸の移動規制位置から所定方向に押圧操作すると、ストッパを引き戸の移動規制解除位置でロックし、再度ストッパを押圧操作した後に押圧を解除すると、ストッパをスプリングにより引き戸の移動規制位置に戻すロック機構を備えた
ことを特徴とする請求項２記載のショーケース。
【請求項４】
前記ストッパを着脱自在に設けた
ことを特徴とする請求項１記載のショーケース。
【発明の詳細な説明】
【技術分野】
【０００１】
本発明は、例えばコンビニエンスストア等の店舗内に設置されるショーケースに関するものである。
【背景技術】
【０００２】
従来、この種のショーケースとしては、上面に商品出し入れ用の開口部を有するショーケース本体と、ショーケース本体の開口部に設けられた４枚の引き戸とを備え、引き戸を開口部の幅方向に移動させることにより、開口部の幅方向任意の位置を開閉するようにしたものが知られている（例えば、特許文献１参照。）。
【０００３】
このショーケースでは、開口部の幅方向中央に引き戸の移動を規制するストッパが設けられ、引き戸をストッパに当接させることにより、引き戸を中央側の所定位置で停止させるようになっている。
【特許文献１】特開２００２−２３８７１１号公報
【発明の開示】
【発明が解決しようとする課題】
【０００４】
ところで、前記ショーケースでは、幅方向中央側の２枚の引き戸をそれぞれ幅方向両端側に移動させることにより、開口部の幅方向中央側を引き戸２枚分の広さに開放することができるが、開口部の幅方向中央には引き戸の移動を規制するストッパが設けられているため、開口部の幅方向一端側または他端側はそれぞれ引き戸１枚分の広さにしか開放することができない。このため、開口部の幅方向中央側に比べ、幅方向一端側または他端側では商品の出し入れを容易に行うことができず、商品補充時の作業性を低下させるという問題点があった。また、引き戸を取り外せば、開口部の幅方向一端側または他端側を広く開放することができるが、引き戸はガラス製であるため、取り外した際に破損させるおそれがあり、引き戸を取り外すことによる作業は好ましいものではなかった。
【０００５】
本発明は前記問題点に鑑みてなされたものであり、その目的とするところは、引き戸を取り外すことなく開口部の幅方向一端側または他端側を広く開放することのできるショーケースを提供することにある。
【課題を解決するための手段】
【０００６】
本発明は前記目的を達成するために、商品出し入れ用の開口部を有するショーケース本体と、開口部の幅方向に移動させることにより開口部を開閉する少なくとも３つの引き戸と、引き戸を上下二段に支持する上側支持枠及び下側支持枠と、引き戸に当接することにより開口部の幅方向所定位置で引き戸の移動を規制するストッパとを備えたショーケースにおいて、前記ストッパによる引き戸の移動規制を解除可能に構成するとともに、ストッパには、上側支持枠と下側支持枠との間に配置されるストッパ本体と、上段側の引き戸に当接する第１の当接部と、下段側の引き戸に当接する第２の当接部とを設け、第１の当接部をストッパ本体の上面に突設して上側支持枠に設けた長孔から上方に突出させ、第２の当接部をストッパ本体の幅方向両端側に設けている。
【０００７】
これにより、ストッパによる引き戸の移動規制を解除することにより、各引き戸が開口部の幅方向一端側から他端側まで移動可能となる。また、ストッパに、上段側の引き戸に当接する第１の当接部と、下段側の引き戸に当接する第２の当接部とが設けられていることから、一つのストッパの操作により上下各段の引き戸の移動規制及び解除を行うことができる。この場合、ストッパのストッパ本体が上側支持枠と下側支持枠との間に配置され、ストッパ本体の上面に突設された第１の当接部が上側支持枠の長孔から上方に突出し、ストッパ本体の幅方向両端側に第２の当接部が設けられているので、上側支持枠と下側支持枠が上下に配置された引き戸構造においても、第１及び第２の当接部をストッパに一体に設けることができる。
【発明の効果】
【０００８】
本発明のショーケースによれば、各引き戸を開口部の幅方向一端側から他端側まで移動可能にすることができるので、各引き戸を開口部の幅方向一端側または他端側に移動させることにより、引き戸を取り外すことなく開口部の幅方向一端側または他端側を広く開放することができ、開口部の幅方向何れの位置においても商品の補充作業を容易に行うことができる。また、上側支持枠と下側支持枠が上下に配置された引き戸構造においても、一つのストッパの操作により上下各段の引き戸の移動規制及び解除を行うことができるので、構造の簡素化を図ることができる。
【発明を実施するための最良の形態】
【０００９】
図１乃至図１０は本発明の第１の実施形態を示すもので、図１はショーケースの全体斜視図、図２はその側面断面図、図３はその要部分解斜視図、図４はその要部斜視図、図５はその要部正面断面図、図６はストッパの正面図、図７はその平面図、図８はその底面図、図９はその動作を示す要部側面断面図、図１０は引き戸の開放状態を示す斜視図である。
【００１０】
このショーケースは、上面側を開口したショーケース本体１０と、ショーケース本体１０の上面側を開閉する４枚の引き戸２０と、ショーケース本体１内の空気を吸入及び吐出する通風路３０と、引き戸２０の移動を規制可能なストッパ４０とを備えている。
【００１１】
ショーケース本体１０は、上面を開口した断熱箱１１と、断熱箱１１の背面側上方に立設された背面板１２と、断熱箱１１の両側面側上方にそれぞれ立設された側面板１３と、背面板１２及び各側面板１３の後部上方を覆う天板１４とからなり、断熱箱１１の前面上部にはガラス製の透視窓１５が設けられている。ショーケース本体１０の上面側には、背面板１２、各側面板１３及び天板１４を除く部分に商品出し入れ用の開口部１６が形成され、開口部１６は各引き戸２０によって開閉されるようになっている。
【００１２】
各引き戸２０はショーケース本体１０の外側に凸状をなすように湾曲した透明ガラス板からなり、ショーケース本体１０の前方に向かって下り傾斜をなすように設けられている。各引き戸２０は２枚ずつ上下二段に配置され、それぞれ開口部１６の幅方向に移動自在に設けられている。即ち、各引き戸２０の前端側は開口部１６の前端に設けた上側支持枠２１及び下側支持枠２２によって２枚ずつ摺動自在に支持され、各引き戸２０の後端側は開口部１６の後端に設けた上側支持枠２３及び下側支持枠２４によって２枚ずつ摺動自在に支持されている。また、後端側の上側支持枠２３及び下側支持枠２４には、ストッパ４０が前後方向に移動自在に係合する第１及び第２の長孔２３ａ，２４ａがそれぞれ設けられている。この場合、第１の長孔２３ａは開口部１６の幅方向中央に設けられ、第２の長孔２３ｂは第１の長孔２３ａに対応する位置を間にして開口部１６の幅方向二箇所に設けられている。
【００１３】
通風路３０はショーケース本体１０内の前面、底面及び背面に沿って延び、断熱箱１１の内面及びこれに対向して配置された仕切板３１との間に形成されている。通風路３０の一端には他端側に向かって開口する空気吐出口３０ａが設けられ、その他端には一端側に向かって開口する空気吸入口３０ｂが設けられている。通風路３０内の底面側には冷却器３２及び送風機３３が設けられ、冷却器３２は図示しない冷凍回路に接続されている。
【００１４】
ストッパ４０は、上側支持枠２３と下側支持枠２４との間に配置されるストッパ本体４１と、上段側の引き戸２０に当接する第１の当接部４２と、下段側の引き戸２０に当接する幅方向一対の第２の当接部４３とからなり、ショーケース本体１０の前後方向に移動自在に設けられている。ストッパ本体４１は幅方向両端側が下方に段差をなすようにＬ字状に屈曲した板状部材からなり、その幅方向両端側にはそれぞれ下側支持枠２４に係合する係合片４４が設けられている。係合片４４はストッパ本体４１の前後二箇所ずつにそれぞれ下方に延びるように設けられ、第２の長孔２３ｂに前後方向に移動自在に係合している。第１の当接部４２はストッパ本体４１の幅方向中央の上面に上方に突出するように一体に設けられ、上側支持枠２３の第１の長孔２３ａに前後方向に移動自在に挿入されている。各第２の当接部４３はストッパ本体４１の幅方向両端部の上面に取付けられたブロック状の緩衝部材（例えば、ゴムやウレタン等）からなり、上側支持枠２３と下側支持枠２４との間に配置されている。また、ストッパ本体４１の上面及び下面には上側支持枠２３及び下側支持枠２４にそれぞれ接触するシート状の摺動パッド４５，４６が取付けられ、各摺動パッド４５，４６は低摩擦性部材（例えば、フッ素系樹脂等）によって形成されている。即ち、図９(a) に示すようにストッパ４０を前方に位置させると、上段側の引き戸２０が第１の当接部４２に当接して移動を規制され、下段側の引き戸２０が第２の当接部４３に当接して移動を規制される。また、図９(b) に示すようにストッパ４０を後方に移動すると、上段側及び下段側の引き戸２０が何れも第１及び第２の当接部４２，４３に当接することなく移動可能となる。
【００１５】
以上のように構成されたショーケースにおいては、通風路３０の空気吸入口３０ｂから吸入された空気が冷却器３２によって冷却され、通風路３０の空気吐出口３０ａから吐出されることにより、断熱箱１１の上面にエアカーテンが形成される。
【００１６】
前記ショーケースにおいて、ショーケース本体１０の開口部１６を開閉する場合には、任意の引き戸２０を開口部１６の幅方向に移動する。その際、ストッパ４０によって引き戸２０の移動が規制されている場合には、図１０(a) に示すように開口部１６の幅方向一端側の引き戸２０は幅方向中央で幅方向他端側への移動を規制され、幅方向他端側の引き戸２０は幅方向中央で幅方向一端側への移動を規制される。これにより、図１に示すように各引き戸２０をそれぞれ所定の閉鎖位置で停止させることができる。
【００１７】
また、商品を補充する際、開口部１６の幅方向中央側を開放する場合は、図１０(b) に示すように各引き戸２０を開口部１６の幅方向両端側に移動させることにより、開口部１６の幅方向中央側を引き戸２０の２枚分の広さに開放することができる。また、開口部１６の幅方向一端側を開放する場合は、ストッパ４０による引き戸２０の移動規制を解除することにより、各引き戸２０を開口部１６の幅方向一端側から他端側まで移動可能にする。即ち、図１０(c) に示すように各引き戸２０を開口部１６の幅方向他端側に移動させることにより、開口部１６の幅方向一端側を引き戸２０の２枚分の広さに開放することができる。更に、開口部１６の幅方向他端側を開放する場合は、図１０(d) に示すように各引き戸２０を開口部１６の幅方向一端側に移動させることにより、開口部１６の幅方向他端側を引き戸２０の２枚分の広さに開放することができる。
【００１８】
このように、本実施形態のショーケースによれば、ストッパ４０による引き戸２０の移動規制を解除することにより、各引き戸２０を開口部１６の幅方向一端側から他端側まで移動可能にしたので、開口部１６の幅方向中央側のみならず、幅方向一端側及び他端側も引き戸２０を取り外すことなく引き戸２０の２枚分の広さに開放することができ、開口部１６の幅方向何れの位置においても商品の補充作業を容易に行うことができる。
【００１９】
また、ストッパ４０を引き戸２０の移動規制位置（前方位置）及び引き戸２０の移動規制解除位置（後方位置）へそれぞれ移動可能に設けたので、ストッパ４０の操作を容易に行うことができ、商品補充時の作業性を向上させることができる。
【００２０】
更に、ストッパ４０に、上段側の引き戸２０に当接する第１の当接部４２と、下段側の引き戸２０に当接する幅方向一対の第２の当接部４３とを設けたので、一つのストッパ４０の操作により上下各段の引き戸２０の移動規制及び解除を行うことができ、構造の簡素化を図ることができる。
【００２１】
この場合、ストッパ４０のストッパ本体４１を上側支持枠２３と下側支持枠２４との間に摺動自在に設け、ストッパ本体４１の上面に突設した第１の当接部４２を上側支持枠２３に設けた長孔２３ａから上方に突出させるとともに、ストッパ本体４１の幅方向両端側にそれぞれ第２の当接部４３を設けたので、上側支持枠２３と下側支持枠２４が上下に配置された引き戸構造においても、第１及び第２の当接部４２，４３をストッパ４０に一体に設けることができ、一つのストッパ４０の操作により上下各段の引き戸２０の移動規制及び解除を行うことができる。
【００２２】
尚、前記実施形態では、上面側に商品出し入れ用の開口部を有するショーケースを示したが、例えば前面に商品出し入れ用の開口部を有するものなど、開口部を他の位置に設けたものであってもよい。また、前記実施形態では、４枚の引き戸２０を有するものを示したが、３枚または５枚以上の引き戸を有するものであってもよい。
【００２３】
図１１及び図１２は本発明の第２の実施形態を示すもので、図１１はショーケースの要部分解斜視図、図１２はストッパの動作を示す要部側面断面図である。尚、前記実施形態と同等の構成部分には同一の符号を付して示す。
【００２４】
本実施形態では、ストッパ４０を引き戸２０の移動規制位置（前方位置）及び移動規制解除位置（後方位置）にそれぞれ保持可能なロック機構５０を備えている。このロック機構５０は、一端にストッパ４０が連結されたロッド５１と、ロッド５１を前後方向に移動自在に支持するシリンダ５２とを備え、ストッパ本体４１の後端側にはロッド５１を連結する連結片４７が設けられている。シリンダ５２は下側支持枠２４に固定され、その内部にはロッド５１を所定の後方位置でロック可能な周知のプッシュ・プッシュ係止機構（図示せず）が設けられている。プッシュ・プッシュ係止機構は、ロッド５１を前方に付勢するスプリングと、ロッド５１と共にシリンダ５２内を摺動するスライド部材と、スライド部材に設けられたハートカム溝と、ハートカム溝に係合する係合部材とからなり、図１２(a) に示すようにロッド５１をシリンダ５２側に押圧操作すると、係合部材がハートカム溝の所定部分に係止してロッド５１を後方位置でロックし、再度ロッド５１をシリンダ５２側に押圧操作した後に押圧を解除すると、係合部材がハートカム溝の前記所定部分から外れ、図１２(b) に示すようにスプリングによりロッド５１を前方位置に戻すように構成されている。
【００２５】
このように、本実施形態のショーケースによれば、ストッパ４０を後方に押圧操作すると、ストッパ４０を所定の後方位置でロックし、再度ストッパ４０を後方に押圧操作した後に押圧を解除すると、ストッパ４０をスプリングにより前方位置に戻すロック機構５０を備えているので、ストッパ４０を前方位置及び後方位置で確実に保持することができるとともに、ストッパ４０の移動操作を極めて容易に行うことができる。
【００２６】
図１３及び図１４は本発明の第３の実施形態を示すもので、図１３はショーケースの要部分解斜視図、図１４はストッパを取外した状態を示す要部斜視図である。尚、前記実施形態と同等の構成部分には同一の符号を付して示す。
【００２７】
本実施形態では、上側支持枠２３及び下側支持枠２４にストッパ４０を着脱自在に係合する第１及び第２の長孔２３ｂ，２４ｂが設けられ、第１及び第２の長孔２３ｂ，２４ｂはそれぞれ上側支持枠２３及び下側支持枠２４の前端に開口するように形成されている。この場合、第１及び第２の長孔２３ｂ，２４ｂは前記実施形態よりも前後方向に短く形成され、ストッパ４０を引き戸２０の移動規制位置（前方位置）のみで係合するようになっている。
【００２８】
これにより、ストッパ４０を上側支持枠２３と下側支持枠２４との間に前方から挿入することによりストッパ４０が取付けられ、ストッパ４０によって引き戸２０の移動が規制される。また、ストッパ４０を上側支持枠２３と下側支持枠２４との間から抜き取ることによりストッパ４０が取外され、ストッパ４０による引き戸２０の移動規制が解除される。
【００２９】
このように、本実施形態のショーケースによれば、ストッパ４０を着脱自在に設け、ストッパ４０を取外すことによって引き戸２０の移動規制を解除するようにしたので、前記実施形態と同様、各引き戸２０を開口部１６の幅方向一端側から他端側まで移動させることができる。
【図面の簡単な説明】
【００３０】
【図１】本発明の第１の実施形態を示すショーケースの全体斜視図
【図２】ショーケースの側面断面図
【図３】ショーケースの要部分解斜視図
【図４】ショーケースの要部斜視図
【図５】ショーケースの要部正面断面図
【図６】ストッパの正面図
【図７】ストッパの平面図
【図８】ストッパの底面図
【図９】ストッパの動作を示す要部側面断面図
【図１０】引き戸の開放状態を示す斜視図
【図１１】本発明の第２の実施形態を示すショーケースの要部分解斜視図
【図１２】ストッパの動作を示す要部側面断面図
【図１３】本発明の第３の実施形態を示すショーケースの要部分解斜視図
【図１４】ストッパを取外した状態を示す要部斜視図
【符号の説明】
【００３１】
１０…ショーケース本体、１６…開口部、２０…引き戸、２３…上側支持枠、２４…下側支持枠、２３ａ，２３ｂ…第１の長孔、２４ａ，２４ｂ…第２の長孔、４０…ストッパ、４１…ストッパ本体、４２…第１の当接部、４３…第２の当接部、５０…ロック機構。
【図１】
0004531663.tif 000002
【図２】
0004531663.tif 000003
【図３】
0004531663.tif 000004
【図４】
0004531663.tif 000005
【図５】
0004531663.tif 000006
【図６】
0004531663.tif 000007
【図７】
0004531663.tif 000008
【図８】
0004531663.tif 000009
【図９】
0004531663.tif 000010
【図１０】
0004531663.tif 000011
【図１１】
0004531663.tif 000012
【図１２】
0004531663.tif 000013
【図１３】
0004531663.tif 000014
【図１４】
0004531663.tif 000015